(57)【要約】【課題】競技者等の動作を撮影・保存し、その映像を繰り返して再生したり、所定の時間だけ遅延して再生したり、あるいは外部機器で再生したりすることが可能な携帯型表示装置を提供する。【解決手段】本実施例の携帯型表示装置１は、個別に成形される前面と背面からなる本体２と、本体２の前面に装着される液晶画面等の表示部３と、本体２の前面の端部に配置されるカメラ４，機能モード選択スイッチ６，録画スイッチ７，停止スイッチ８及びスピーカ９と、本体２の前面に取り付けられるセンサ８０と、本体２の背面に取り付けられるスタンド１１と、スタンド１１の側方に配置される汎用ポート１５、電源ポート２０、ＮＴＳＣポート３１及びＳ−ＶＩＤＥＯポート３２とを備えている。【選択図】図１
2010187379.tif 000002
【特許請求の範囲】
【請求項１】
被写体を撮影するカメラと、このカメラによって撮影された映像を表示する表示部と、前記映像を記憶するメモリと、前記カメラと前記表示部と前記メモリの動作を制御する制御部とを備え、この制御部は前記メモリに記憶された前記映像を読み出して、予め設定された時間だけ遅延して前記表示部に表示させる遅延再生手段を内蔵することを特徴とする携帯型表示装置。
【請求項２】
前記被写体を検知して前記制御部に検知信号を送るセンサを備え、この検知信号を受けた前記制御部は前記カメラに指令信号を送り、この指令信号を受けた前記カメラは撮影を開始することを特徴とする請求項１記載の携帯型表示装置。
【請求項３】
前記制御部に接続され，前記映像を表す電気信号を外部に出力するポートを備えたことを特徴とする請求項１又は請求項２に記載の携帯型表示装置。
【発明の詳細な説明】
【技術分野】
【０００１】
本発明は、運動中や練習中の人を撮影した映像を保存し、再生した映像を分析することによって姿勢（動作）を矯正し、その適正化を図ることが可能な携帯型表示装置に関する。
【背景技術】
【０００２】
近年、家庭だけでなく職場においてもレクリエーションの一環としてスポーツが取り入れられており、多くの人が様々な種類のスポーツを楽しんでいる。人によっては、これまで全く経験したことがないスポーツにいきなり挑戦しなければならないという事態に陥ることもありうる。しかしながら、どのようなスポーツを行う場合であっても、まず初めに基本的な姿勢や動作を身に付けることが肝要である。
【０００３】
ゴルフを例にとってみると、その動作はアドレス（address), バックスイング(back swing), ダウンスイング(down swing), インパクト(impact), フィニッシュ(finish)の５つに大別される。そして、これらの各動作において、スイング角度と軌跡、スイングタイムとリズム、体重移動などを正確に習得することが重要とされている。
【０００４】
射撃、洋弓などのゴルフ以外のスポーツにおいても、上達するためには基本動作を習得することが必要である。そのため、これらのスポーツの競技者は、従来、大型鏡等に映った自分の姿を確認しながら、基本動作の練習を行っていた。しかしながら、鏡を見ながら所定の動作を続けることは困難である。また、鏡に映った姿の記憶を頼りに、その動作を正確に再現することは容易でない。
そこで、このような課題を解決するため、競技者等の動作の録画・再生を簡単に行うことができる装置について、盛んに研究や開発がなされている。そして、これまでにも既にいくつかの発明や考案が開示されている。
【０００５】
例えば、特許文献１には「肉体的技術の動作及びこの肉体的技術の遂行に使用する装備の測定及び評価のためのシステム及び方法」という名称で、教習者が行うスイング場面(動作)を２台のデジタルカメラでキャプチャして、コンピュータの記憶装置に保存するシステムとその方法に関する発明が開示されている。
特許文献１に開示された発明は、ハードドライブ記憶装置に保存された映像の中で教習者が行った動作に対して、理想的な(優れた) 動作(イメージ)を設定して上書き可能な構造となっている。
このような構造によれば、教習モニターにキャプチャされた映像と選択した映像(理想的な動作)と評価結果(装備の適合性と動作)をビデオディスプレーカードに表示(ディスプレー)することができる。
【０００６】
また、特許文献２には運動動作の分析や指導のための方法とそのシステムに関する発明が開示されている。
特許文献２に開示された発明は、センサがそれぞれ装着されたチョッキとベルト及び手袋を着用した実行者(利用者)が無線センサ付きのクラブ(無線センサクラブ)でスイングを行い、その動作をビデオカメラによって撮影した後、映像をコンピュータ・システムで分析し、その結果をグラフィック表示するものである。
このような方法によれば、ビデオカメラによって撮られた映像に基づいて分析されたチョッキ、ベルト、手袋及びクラブの軌跡に基づいて、適切な指導を行うことができる。
【０００７】
さらに、特許文献３には、ゴルフスイング動作の動画分析が可能な個人携帯用端末機及び個人携帯用端末器を利用したゴルフスイング動作の動画分析方法及びゴルフレッスンシステムに関する発明が開示されている。
特許文献３に開示された発明は、個人携帯端末機や、個人携帯端末機が結合された携帯電話によってゴルファーのスイングを撮影し、その映像を直接個人携帯端末機で再生するものであり、動画分析道具により動画に適切な表示を直接描き込み可能な構造となっている。また、データ通信機能・移動電話機能・ゴルフ場地理分析機能・記録管理機能などの機能を備えている。
このような構造によれば、スイング動作上の問題を容易に把握できる。従って、ゴルファーに適切な指示を与えて、そのスイングを矯正することが可能である。
【先行技術文献】
【特許文献】
【０００８】
【特許文献１】韓国公開特許第２００７−３２６２８号明細書
【特許文献２】韓国公開特許第２００７−９５４０７号明細書
【特許文献３】韓国公開特許第２００７−８１９５６４号明細書
【発明の概要】
【発明が解決しようとする課題】
【０００９】
しかしながら、上述の従来技術である特許文献１に開示された発明は、デジタルカメラでキャプチャした映像とハードディスクドライブ記憶装置に保存された理想的な映像を重ねて教習モニターに表示する構成であり、教習者の動作を明確に識別することが難しく、効率的な管理ができない。また、教習者の動作を算術的に算出するように構成されているため、教習者の特性が無視されて整形化されたものになってしまうという課題があった。
【００１０】
また、特許文献２に開示された発明は、従来、実行者の身体に取り付けていたセンサをチョッキ、ベルト、手袋及びクラブに付けたものに過ぎない。そして、 各センサの動線をグラフィック表示し、保存されたライブラリ（Ｌｉｂｒａｒｙ）の遂行データによってテスト結果を表示する構成となっているため、実行者の行動分析を客観的に判断することが難しいという課題があった。
【００１１】
特許文献３に開示された発明は、撮影した映像を個人携帯端末機や個人携帯端末機が結合された携帯電話で単純に再生するだけなので動作状態を正確に把握できない上、映像を一旦停止させた状態でないと表示をオーバーラップできないため、動作を効率的に分析することができないという課題があった。また、個人用携帯端末機で使われるＰＤＡ(Personal Digital Assistant)や携帯電話の画面は小さすぎるため、画像の正確な把握が極めて困難である。特に、上記のような従来の装置においては、カメラで撮影した映像を表示する際に、低速の再生(スローモーション)や不特定の単位時間を遅延しながら繰り返して再生することができないため、活用度が低いという課題があった。また、ディスプレー装置(携帯用端末機)に保存された映像資料をＵＳＢ(Universal Serial Bus) 又はＬＡＮ(local area network)などを利用して他の器機(コンピュータまたはデジタルカメラ等)で再生できないという課題があった。さらに、データ通信機能・携帯電話機能・ゴルフ場地理分析機能・記録管理機能などの複雑な機能が多すぎるため、装置を效率的に使用できず、また、製品価格が高くなってしまうという課題があった。そして、どれか一つの機能が故障すると、他の機能も使用できなくなるという課題があった。
【００１２】
本発明は、このような従来の事情に対処してなされたものであり、競技者等の動作を撮影・保存し、その映像を繰り返して再生したり、所定の時間だけ遅延して再生したり、あるいは外部機器で再生したりすることが可能な携帯型表示装置を提供することを目的とする。
【課題を解決するための手段】
【００１３】
上記目的を達成するため、請求項１記載の発明である携帯型表示装置は、被写体を撮影するカメラと、このカメラによって撮影された映像を表示する表示部と、映像を記憶するメモリと、カメラと表示部とメモリの動作を制御する制御部とを備え、この制御部はメモリに記憶された映像を読み出して、予め設定された時間だけ遅延して表示部に表示させる遅延再生手段を内蔵することを特徴とするものである。
このような構造の携帯型表示装置においては、被写体となる競技者等が動作を遅延時間内に終了した場合、その動作の映像が自動的に再生されるという作用を有する。
【００１４】
また、請求項２記載の発明は、請求項１記載の携帯型表示装置において、被写体を検知して制御部に検知信号を送るセンサを備え、この検知信号を受けた制御部はカメラに指令信号を送り、この指令信号を受けたカメラは撮影を開始することを特徴とするものである。
このような構造の携帯型表示装置によれば、被写体となる競技者等がカメラを操作せずとも撮影が自動的に開始されるという作用を有する。
【００１５】
請求項３記載の発明は、請求項１又は請求項２に記載の携帯型表示装置において、制御部に接続され，映像を表す電気信号を外部に出力するポートを備えたことを特徴とするものである。
このような構造の携帯型表示装置においては、ポートに外部モニタ等を接続した場合、カメラによって撮影されてメモリに記憶された映像が外部モニタ等で再生されるという作用を有する。
【発明の効果】
【００１６】
以上説明したように、本発明の請求項１記載の携帯型表示装置においては、メモリに記憶された映像を読み出すことにより、時間や場所に関係なく表示部で繰り返し再生することができる。また、競技者は動作の終了に引き続いて、すぐに映像を確認することができる。これにより、記憶が新しいうちに自分の動作を正確に分析することが可能となる。
【００１７】
本発明の請求項２記載の携帯型表示装置によれば、被写体となる競技者等がカメラを意識することなく、自分の動作に集中することができる。
【００１８】
本発明の請求項３記載の携帯型表示装置においては、メモリに記憶された映像をコンピュータやデジタルカメラ等の外部機器に表示させることにより、動作の分析や姿勢の矯正を效率的に行うことができる。
【図面の簡単な説明】
【００１９】
【図１】（ａ）及び（ｂ）はそれぞれ本発明の実施の形態に係る携帯型表示装置の実施例の外観斜視図である。
【図２】本実施例の携帯型表示装置を構成する機器のブロック図である。
【図３】本実施例の携帯型表示装置において表示画面が切り替わる様子を示した図である。
【図４】本実施例の携帯型表示装置におけるモード設定及び動作手順を示す図である。
【図５】本実施例の携帯型表示装置の１／４倍速のスローモーションモードにおける動作手順を示す図である。
【発明を実施するための形態】
【００２０】
本実施例の携帯型表示装置の具体的な構造及び動作について図１〜図５を参照しながら説明する。
【実施例】
【００２１】
図１（ａ）及び（ｂ）は本発明の実施の形態に係る携帯型表示装置の実施例の外観斜視図であり、図２は本実施例の携帯型表示装置を構成する機器のブロック図である。また、図３は本実施例の携帯型表示装置において表示画面が切り替わる様子を示した図であり、図４は本実施例の携帯型表示装置におけるモード設定及び動作手順を示す図である。さらに、図５は本実施例の携帯型表示装置の１／４倍速のスローモーションモードにおける動作手順を示す図である。
【００２２】
図１（ａ）に示すように、本実施例の携帯型表示装置１は、個別に成形され，ネジ等の固定手段により結合される前面と背面からなる本体２と、本体２の前面に装着される液晶画面等からなる表示部３と、本体２の前面の端部に配置されるカメラ４とコントロール部及びスピーカ９とを備えている。なお、表示部３の大きさは、再生される画像（動作）が充分識別できるように、少なくとも６インチ以上、望ましくは８インチ乃至１４インチとなっている。また、コントロール部は各種機能を選択するための機能モード選択スイッチ６と、カメラ４によって撮影された画像を保存するための録画スイッチ７と、動画の再生と一時停止を切り替える停止スイッチ８とからなる。さらに、本体２の前面には、被写体が撮影可能範囲に存在することを検知するセンサ８０が取り付けられている。
【００２３】
図１（ｂ）に示すように、本体２の背面にはスタンド１１が取り付けられており、スタンド１１の側方には汎用ポート１５、電源ポート２０、ＮＴＳＣポート３１及びＳ−ＶＩＤＥＯポート３２と、図２を用いて後述する課金ポート４０、シリアルポート５０、ＵＳＢポート６０及びイーサネット（登録商標）用のポート７０が設置されている。また、本体２の背面中央には下端側が開放するようにスタンド収納部１０が形成され、スタンド収納部１０の内面上端に対向するように設けられた軸孔１０ａ，１０ａに両端部が挿入された軸１１ａによってスタンド１１の上端近傍が軸支されている。すなわち、スタンド１１は軸１１ａを中心として回動自在に本体２に取り付けられており、本体２側に回動することでスタンド収納部１０に収納可能となっている。また、スタンド１１が不用意に回動してスタンド収納部１０から離脱しないようにスタンド収納部１０の内側面には留め具１０ｂが形成されている。さらに、スタンド１１を開いて携帯型表示装置１を立てる際に、本体２が安定するようにスタンド１１の回動角度は図示しない係止具によって制限されている。また、スタンド収納部１０内の上端部には、設置台等に取り付けられる図示しない支持棒等を結合するためのナット孔１２を有する支持突出部１２ａが形成されている。
【００２４】
図２に示すように、携帯型表示装置１はマイクロプロセッサからなる制御部１００を中心に構成されている。制御部１００は各種のスイッチによって入力される命令を解読し、演算及びデータ処理を行う中央処理装置１０１と、既に保存された各種の情報及びカメラ４から入力される映像情報、あるいは課金ポート４０、シリアルポート５０及びＵＳＢポート６０等から追加入力される各種の情報を保存するためのフラッシュメモリ１０２と、各機器器機同士のデータを迅速に処理するためのＲＡＭ１０３を備えている。なお、中央処理装置１０１はＳＯＣ（Ｓｙｓｔｅｍ−Ｏｎ−ａ−Ｃｈｉｐ）及び組み込みＯＳ（Ｅｍｂｅｄｅｄ  ＯＳ）で実装されており、カメラ４で撮影されてフラッシュメモリ１０２に記憶された映像データをＲＡＭ１０３に読みだした後、予め設定された時間だけ遅延して表示部３に出力する遅延再生手段が内蔵されている。
電源ポート２０にはＤＣ−ＤＣコンバータ２１を介して直流電源（電圧７．２〜１２Ｖ）が接続されている。また、カメラモジュールを含めたカメラ４は前方の競技者等の行動を撮影し、その映像データを制御部１００のフラッシュメモリ１０２に伝送するためのものであり、広角レンズを適用することで１．５ｍ以内の近距離からでも競技者等の全身の撮影が可能となっている。さらに、カメラ４の撮影可能範囲に被写体が存在することを検知するセンサ８０が制御部１００に接続されている。
【００２５】
キーインターフェース５には、機能モード選択スイッチ６、録画スイッチ７及び停止スイッチ８が配置されている。なお、機能モード選択スイッチ６は以下に示す様々な動作機能(モード)を選択するためのものである。
まず、スローモーション（Ｓｌｏｗ  Ｍｏｔｉｏｎ：１／４倍速表示機能）及びスロースローモーション（Ｓｌｏｗ  Ｓｌｏｗ  Ｍｏｔｉｏｎ：１／８倍速表示機能）は、それぞれ通常の１／４及び１／８の速度で再生する機能である。これにより、競技者は自分の動作を正確に確認しながら練習することができる。なお、撮影→録画→再生→停止→再生を繰り返して実施する場合と、再生→停止→再生を繰り返して実施する場合のいずれかを選択できるようになっている（スロー再生及び一時停止機能）。
次に、動画遅延再生機能はカメラ４で撮影した映像を所定の時間経過した後に再生させる機能である。例えば、３秒遅延再生機能は、自分の練習状態(姿勢)が 動作終了時点から３秒後に再生されるようにする機能であり、後述の３秒遅延モードにおいて実行される。なお、本実施例の携帯型表示装置１では、３秒遅延再生機能以外に５秒遅延再生機能及び７秒遅延再生機能があり、同様に５秒遅延モード及び７秒遅延モードにおいてそれぞれ実行される構成となっている。
さらに、初期状態／待機モード機能は、撮影や動画再生を行っていないような初期状態又は待機モード状態において、ゴルフ場施設・体育館施設などの広告又は広報若しくはネットワーク機能を利用した広告コンテンツなどを表示するものである。
【００２６】
録画スイッチ７は設定したモードでカメラ４によって撮影された映像を保存するためのスイッチであり、停止スイッチ８は動画の再生を一時的に停止させるためのスイッチである。また、被写体がカメラ４の撮影可能範囲に入ると、センサ８０が被写体を検知し、制御部１００に検知信号を送る。そして、制御部１００はカメラ４とスピーカ９にそれぞれ指令信号を送る。これにより、スピーカ９は撮影開始を表す信号音を発生し、カメラ４は撮影を開始する。一方、被写体がカメラ４の撮影可能範囲から外れると、センサ８０は制御部１００に対する検知信号の送信を中止し、制御部１００はカメラ４とスピーカ９にそれぞれ動作を停止させるための指令信号を送る。これにより、スピーカ９は撮影終了を表す信号音を発生し、カメラ４は撮影を停止する。
さらに、ビデオインターフェース３０を介して制御部１００に接続されるＮＴＳＣポート３１及びＳ−ＶＩＤＥＯ３２は、内蔵の表示部３以外の外部モニター等を接続する場合に使用される。そして、ＮＴＳＣポート３１は、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式の信号（ビデオ信号）を出力するポートであり、Ｓ−ＶＩＤＥＯポート３２は、より鮮やかな画質が得られるように輝度情報(明るさ情報)と色差情報(カラー情報)が分離されたＳ−ＶＩＤＥＯ方式の信号(ビデオ信号)を出力するポートである。
【００２７】
請求インターフェース４１を介して制御部１００に接続される課金ポート４０は、
本発明の携帯型表示装置１を営業に用いた場合に使用料を徴収するためのものであり、現金(コイン及び紙幤) 又はＲＦカード（Ｒａｄｉｏ  Ｆｒｅｑｕｅｎｃｙ  Ｃａｒｄ）をリーダー機に近づけると、カードの情報がリーダー機に読み取られ、料金が徴収される構造となっている。
さらに、シリアルインターフェース５１を介して制御部１００に接続されるシリアルポート５０は、携帯型表示装置１の各種機能のアップデートと管理を行うためのシリアル方式の通信ポートである。また、ＵＳＢインターフェース６１を介して制御部１００に接続されるＵＳＢポート６０は、保存された映像をテレビのような他の映像メディアで視聴できるようにするエンコーダー（Ｅｎｃｏｄｅｒ）機能を有しており、録画した動画をＭＰＥＧ（Ｍｏｔｉｏｎ  Ｐｉｃｔｕｒｅ  Ｉｍａｇｅ  Ｃｏｄｉｎｇ  Ｅｘｐｅｒｔｓ  Ｇｒｏｕｐ）形式で圧縮してＵＳＢメモリのような各種補助記憶装置に保存したり、ＵＳＢメモリなどの補助記憶装置に保存された動画をパーソナルコンピュータで再生したりするためのものである。
そして、イーサネット（登録商標）用のインターフェース７１を介して制御部１００に接続されるイーサネット（登録商標）用のポート７０は、ネットワークを利用して外部のサーバーから動画及び再生情報を受信し、保存するための通信ポートである。
【００２８】
次に、携帯型表示装置１の表示部３に表示される画面について図３を用いて説明する。
前述したように、携帯型表示装置１は背面のスタンド１１を引き出すか、あるいはカメラの三脚(図示せず)のような支持台のボルトをナット孔１２に結合することで設置状態が安定する。
携帯型表示装置１を所定の場所に設置した後、電源ポート２０に電源を接続すると、図３に示すように初期状態/待機モード機能が作動し、表示部３にはメイン案内画面表示が５秒間表示される（Ｓ１）。その後、リアルタイムのセルフ（Ｓｅｌｆ）動画に切り替わり(Ｓ２)、５秒後に広告などの補助画面に切り替わる（Ｓ３）。そして、５秒後にはリアルタイムのセルフ（Ｓｅｌｆ）動画に切り替わり（Ｓ４）、５秒経過すると再びメイン案内画面の表示に戻る（Ｓ１）。以下、この動作が繰り返して実行される。なお、メイン案内画面及び補助画面では、本体２に保存されたコンテンツやネットワークで提供されるコンテンツを利用して情報が提供される。
【００２９】
機能モード選択スイッチ６を利用したモード設定及び動作手順について図４を用いて説明する。
表示部３に図３で説明した画面が表示されている状態で、機能モード選択スイッチ６の「ＳＥＬＥＣＴ」ボタンを押すと、図４に示すように１／４倍速のスローモーションモード（Ｓ１）→１／８倍速のスロースローモーションモード（Ｓ２）→３秒遅延モード（Ｓ３）→５秒遅延モード（Ｓ４）→７秒遅延モード（Ｓ５）の順にモードが切り替わる。そして、各モードが選択可能な状態で「ＳＥＬＥＣＴ」ボタンを押すと、そのモードが選択される。なお、所定の時間内に「ＳＥＬＥＣＴ」ボタンが押されない場合には、既に図３を用いて説明した画面に切り替わり、初期状態/待機モード機能が作動する。
【００３０】
図４にＳ１で示した１／４倍速のスローモーションモードを選択した後、
録画スイッチ７を押すと、待機メッセージと「ピー」という開始音がスピーカ９から出力され、録画が開始される。以下、ゴルフ練習をする場合を例にとって１／４倍速のスローモーションモードにおける動作手順について図５を参照しながら説明する。
表示部３に図３で説明した画面が表示されている状態で、機能モード選択スイッチ６の「ＳＥＬＥＣＴ」ボタンを押すと、１／４倍速のスローモーションモード（Ｓ１）を選択可能な状態となる。この状態で録画スイッチ７の「ＲＥＣ」ボタンを押すと、前述したように待機モード（Ｓ２）に切り替わり、スピーカ９から待機メッセージが流れる。そして、ゴルファーが携帯型表示装置１から適当な距離（１．５ｍ程度が望ましい）の場所に立つと、赤外線を利用したセンサ８０によってゴルファーがカメラ４の撮影可能範囲内に入ったことが検知され、スピーカ９から開始音が鳴るとともに、カメラ４が作動し始める（Ｓ３）。その後、ゴルファーがスイング練習等を開始すると、カメラ４によってゴルファーの全身が７秒程度撮影され、その映像は制御部１００のフラッシュメモリ１０２に保存される。すなわち、本実施例の携帯型表示装置１においては、ゴルファーがカメラ４を操作せずとも、その動作の撮影が開始されるとともに、ゴルファーがカメラ４の前から離れると撮影が自動的に停止し、スピーカ９の終了信号音により撮影の終了が報知されるという作用を有する。この場合、ゴルファーはカメラ４を意識することなく、自分の動作に集中することができる。
次に、カメラ４で撮影されて保存された映像が表示部３で再生される（Ｓ４）。このとき、停止スイッチ８の「ＳＴＯＰ」ボタンを押すと映像の再生が一時停止し（Ｓ５）、再び「ＳＴＯＰ」ボタンを押すと、一時停止が解除されて映像が再生される（Ｓ４）。すなわち、「ＳＴＯＰ」ボタンを押す度にＳ４とＳ５の状態が切り替わる構成となっている。そして、Ｓ５の状態で「ＲＥＣ」ボタンを押すと、Ｓ２の状態に切り替わる。なお、図４のＳ２〜Ｓ５に示したいずれかのモードを図５のＳ１とする場合のＳ２〜Ｓ５の動作については、１／４倍速のスローモーションモードの場合と同様であるため、その説明を省略する。
【００３１】
本実施例の携帯型表示装置１を用いてゴルフスイングを練習する場合、各動作に適したモードを機能モード選択スイッチ６で選択することができる。具体的には、１／４倍速のスローモーションモードと１／８倍速のスロースローモーションモードを利用して自分の姿勢のチェックと矯正を行うことができる。特に、一時停止機能を利用すれば、レッスンプロが練習者(ゴルファー)のスイング姿勢を矯正する各種レッスンにおいて各動作を一つ一つチェックできるため、練習者に対して適格なアドバイスを与えることができる。また、３秒遅延モードによれば、スイング練習時にボールを正確に見ながらスイングをした後、３秒後に再生が開始されるという作用を有する。これにより、自分のスイングを確認することが可能となる。すなわち、３秒遅延モードは、パター及びショートアイアンなどでショートタイム（Ｓｈｏｒｔ  Ｔｉｍｅ）動作を練習するアプローチやパッティングの姿勢矯正(練習)用に適している。さらに、スイング練習時にボールを正確に見ながらスイングをした後、５秒後に再生が開始される５秒遅延モードは、ミドルアイアンなどでミドルタイム（Ｍｉｄｄｌｅ  Ｔｉｍｅ）動作を練習するアイアンの姿勢矯正(練習)用に適している。そして、スイング練習時にボールを正確に見ながらスイングをした後、７秒後に再生が開始される７秒遅延モードは、ドライバー及びウッドなどでロングタイム(Ｌｏｎｇ  Ｔｉｍｅ)動作を練習するドライバー及びウッドの姿勢矯正(練習)用に適している。
【００３２】
本実施例の携帯型表示装置１を利用してゴルフのスイング練習をすると、自分のスイング姿勢を一定のテンポを維持しながら繰り返して練習することが可能である。従って、スイングのリズム感を習得することができる。また、スイングを練習する時にヘッドアップの状態やヘッドの移動などを詳細に観察及び確認することが可能である。従って、スイング姿勢(ヘッドアップ)を矯正することができる。さらに、スイングを練習する際に体重の移動とヒップターンの移動(動作) などを詳細かつ明確に観察及び確認することが可能である。従って、スイング姿勢(体重移動)を矯正することができる。加えて、スローモード及びスロースローモードと一時停止モードを利用することにより、コ-キング動作を正確に観察及び確認し、正しいコ-キング動作を習得することができる。また、バック・スイング・トップ(動作状態)を正確に観察及び確認して正しいバック・スイング・トップを習得することができる。そして、スローモード及びスロースロー機能と一時停止機能及び遅延再生機能を利用することによりアドレスを正しく習得することができる。また、リーダー(所属プロ)に個別的にレッスンを受ける場合、自分の姿勢を正確に確認することができるとともに、自分の姿勢(動作)に対するリーダー(所属プロ)の指導を正確に理解することができる。特に、スローモード及びスロースローモードと一時停止モードを利用することによれば、各動作を断続的に再生しながら各動作の問題点と解決策を明確にして適切な指導を受けることができる。加えて、撮影された自分の映像をコンピュータやデジタルカメラ等の外部機器に表示させることにより、動作の分析や姿勢の矯正を效率的に行うことが可能である。
【産業上の利用可能性】
【００３３】
請求項１乃至請求項３に記載された発明は、ゴルフに限らず、各種のスポーツにおいて競技者の姿勢や基本動作を確認し、矯正を行う場合に利用可能である。
【符号の説明】
【００３４】
１…携帯型表示装置  ２…本体  ３…表示部  ４…カメラ  ５…キーインターフェース  ６…機能モード選択スイッチ  ７…録画スイッチ  ８…停止スイッチ  ９…スピーカ  １０…スタンド収納部  １０ａ…軸孔  １０ｂ…留め具  １１…スタンド  １１ａ…軸  １２…ナット孔  １２ａ…支持突出部  １５…汎用ポート  ２０…電源ポート  ２１…ＤＣ−ＤＣコンバータ  ３０…ビデオインターフェース  ３１…ＮＴＳＣポート  ３２…Ｓ−ＶＩＤＥＯポート  ４０…課金ポート  ４１…請求インターフェース  ５０…シリアルポート  ５１…シリアルインターフェース  ６０…ＵＳＢポート  ６１…ＵＳＢインターフェース  ７０…ポート  ７１…インターフェース  ８０…センサ  １００…制御部  １０１…中央処理装置  １０２…フラッシュメモリ  １０３…ＲＡＭ    
【図１】
2010187379.tif 000003
【図２】
2010187379.tif 000004
【図３】
2010187379.tif 000005
【図４】
2010187379.tif 000006
【図５】
2010187379.tif 000007